(57)【要約】【課題】ピン受側を操作することによって、大きな力を要せず簡単に装着対象物に装着することが可能な使用勝手の良好な安全ピンを提供する。【解決手段】一端側に針先部１１を備えるとともに他端側に基部１２を備え前記針先部１１と基部１２とが平行状態をなすように境界部分を湾曲して形成したピン１と、基部１２に回転可能に取り付けられ、開口２１ａを有しこの開口２１ａを通じて前記針先部１１を収容する収容溝２１と、この収容溝２１内における針先部１１を挿脱可能に掛止し得る突起２２とを備えてなるピン受２とを具備してなり、ピン受２を退避位置（ｑ）からピン１の基部１１の軸心周りに回転させ、針先部１１が突起２２を乗り越えて収容溝２１内に収容される収容位置（ｐ）に位置付けるようにしている安全ピンＡ。【選択図】図１
2004033528.tif 000002
【特許請求の範囲】
【請求項１】
一端側に針先部を備えるとともに他端側に基部を備え前記針先部と基部とが並行するように形成したピンと、
前記基部に回転可能に取り付けられ、開口を有しこの開口を通じて前記針先部を収容する収容部と、この収容部内における針先部を挿脱可能に掛止し得る掛止部とを備えてなるピン受とを具備してなり、
前記ピン受を所定の退避位置から前記ピンの基部の軸心周りに回転させ、前記針先部が前記掛止部を乗り越えて前記収容部内に収容される収容位置に位置付けるようにしている安全ピン。
【請求項２】
前記収容部が、前記ピン受の側縁部近傍に形成されている請求項１記載の安全ピン。
【請求項３】
前記掛止部が、前記収容部の開口幅を、ピン受の側縁部側から内側へ向かって狭めるものである前記請求項２記載の安全ピン。
【請求項４】
前記収容部が、前記針先部の軸方向に沿った溝状のものである請求項１乃至３何れかに記載の安全ピン。
【請求項５】
前記掛止部が、前記針先を収容部内へ誘導するテーパ面を備えている請求項１乃至４何れかに記載の安全ピン。
【請求項６】
前記掛止部が、略部分球状をなす突起である請求項５記載の安全ピン。
【請求項７】
前記所定の退避位置が、前記収容位置とほぼ背向する位置である請求項１乃至６何れかに記載の安全ピン。
【請求項８】
前記ピンの針先部と基部との間に、針先部に刺し込んだ布地等の装着対象物の移動を規制する規制部材を取り付けている請求項１乃至７何れかに記載の安全ピン。
【請求項９】
前記規制部材が、前記針先部と基部との境界部分に取り付けた球体である請求項８記載の安全ピン。
【発明の詳細な説明】
【０００１】
【発明の属する技術分野】
本発明は、着脱を容易にした安全ピンに関するものである。
【０００２】
【従来の技術】
従来、例えば洋服に記章、名札、ブローチ等を付けたり、洋服、カバーなどの仮止めなどをする等の用途で使用される安全ピンとしては、一端に針先部を備え他端側に基部を備えてこれら針先部と基部との間をコイル状に巻いてバネ部を形成し前記針先部と基部とが常時開くように構成されているピンと、このピンの基部に固定され前記針先部を収容して掛止する溝状の収容部を備えたピン受とを備えてなり、前記針先部と基部側へと摘んで前記針先部が基部側へ近づく方向へピンを弾性変形させることによって針先部をピン受の収容部に収容するように構成されているものが知られている。
【０００３】
【発明が解決しようとする課題】
ところが、このように細いピンを弾性変形させ、さらにその状態を保ってピン受の収容部に対応する位置まで針先部を移動させるためにはある程度の力を要し、力の弱い女性や子供、老人等にとってその動作が難しいという不具合があった。また、針先部を収容部に掛止させるためには、前記針先部を基部側へ接近させる動作、収容部に対して挿入する動作、適正な位置で把持した手を外す動作の３アクション必要なため時間を要す点、さらにこのように細いピンを弾性変形させつつピン受に形成された収容部に対して適正に位置付けねばならない点においても安全ピンの装着を煩雑で困難ものとしていた。
【０００４】
そこで、このような不具合を解決すべく、ビンではなくピン受の方を操作することによって、大きな力を要せず簡単に装着対象物に装着することが可能な使用勝手の良好な安全ピンを提供する。
【０００５】
【課題を解決するための手段】
すなわち、本発明は、一端側に針先部を備えるとともに他端側に基部を備え前記針先部と基部とが並行するように形成したピンと、前記基部に回転可能に取り付けられ、開口を有しこの開口を通じて前記針先部を収容する収容部とこの収容部内における針先部を挿脱可能に掛止して抜け止めとして機能する掛止部とを備えて前記基部に回転可能に取り付けられるピン受とを具備してなり、ピン受を所定の退避位置からピンの基部の軸心周りに回転させ、針先部が掛止部を乗り越えて前記収容部内に収容されるようにしている安全ピンである。なお、「針先部と基部とが並行する」とは、針先部と基部とが平行をなしているものに限らず先端部に向かって漸次広がるように或いは漸次狭まるように並んでいるようなものであってもよい。また、針先部及び基部は、直線をなすように延びるものには限られない。
【０００６】
このようなものであれば、従来のようにピン側を手で摘んで弾性変形させることでピン受に収容するのでなく、ピン受側を回転させるという動作だけで、針先を収容部に収容することができるようになり、加えて従来のように針先部の細かい位置調整を行わずともよいようになる。すなわち、ピン受を回転させるというワンアクションで、しかも大きな操作力を要せずに簡単に布地等の装着対象物に装着することができるようになり、力の弱い女性、子供や老人等に使い易い安全ピンを提供することが可能となる。
【０００７】
また、収容部は、ピン受の側縁部近傍に位置するように設けることが望ましい。ピン受の収容部よりも外側の側縁部分の厚み幅寸法が薄くなり、ピンの挿入時にその側縁部分を弾性変形させ外方空間に逃がすようにしてスムーズに掛止部を乗り越えて収容部に収容させることが可能となるからである。そして、このように収容部を側縁部近傍に形成した場合には、掛止部を、前記収容部の開口幅をピン受の側縁部側から内側へ向かって狭めるようなものに構成し、当該掛止部を針先部が乗り越える際に、前記側縁部分を外方空間へ移動させつつ、収容部内へ収容させるようにすることが望ましい。
【０００８】
また、収容部の簡素で好ましい具体的態様としては、前記針先部の軸方向に沿った溝状に形成したものが挙げられる。
【０００９】
針先部の収容部内へのスムーズな挿入を助長するには、掛止部に、針先を収容部内へ誘導するテーパ面を形成することが望ましい。そして、このようなテーパ面を備えていて簡便なものとしては、略部分球状をなす突起が挙げられる。
【００１０】
また、針先部の刺し込み時にピン受が干渉しないようにするためには、退避位置を収容位置とほぼ背向する位置、すなわち基部を中心に収容位置とほぼ１８０度反対側に位置する退避位置との間で回転可能となるようにすると望ましい。
【００１１】
さらに、使用勝手を良好なものとするためには、前記針の基部と針先部との間に、針先部に刺し込んだ布地など装着対象物の移動を規制する規制部材を取り付けるようにすると好ましい。そして、このような規制部材の望ましい一例として、前記針先部と基部との境界部分に取り付けた球体であるようなものが挙げられる。このようなものであれば、規制部材としての機能の他、簡素な構成でデザイン性を向上させることも可能であり、さらにこの安全ピンを持ち易くなるなどの効果も奏する。
【００１２】
【発明の実施の形態】
以下、本発明の一実施形態を、図面を参照して説明する。
【００１３】
図１から図５に示した本実施の形態の安全ピンＡは、ピン１とこのピン１に取り付けられたピン受２とをその主たる構成としたものである。
【００１４】
ピン１は、一端側に針先部１１を備えるとともに他端側に基部１２を備え前記針先部１１と基部１２とが並行するように形成したものである。具体的には、金属等を素材とした線材を湾曲させて、針先部１１と基部１２とを略平行をなすように形成し、平面視Ｕ字型に成形したものである。針先部１１は、その先端部分を、布地などに刺し込み可能に尖らせてある。また、針先部１１と基部１２との間の湾曲部位には、針先部１１に刺し込んだ布地等の装着対象物の移動を規制する規制部材たる球体３を貫通させ移動不能に取り付けている。
【００１５】
ピン受２は、前記針先部１１を収容する収容部たる収容溝２１と、この収容溝２１内における針先部１１を挿脱可能に掛止し得る掛止部たる突起２２とを備えてなり、前記基部１２に回転可能に取り付けられたものである。収容溝２１は、開口２１ａを有しこの開口２１ａを通じて当該ピン受２の側縁部近傍に針先部の１１軸方向に沿って形成され、その開口幅は、針先部１１よりも所定寸法大きく設定されている。突起２２は、収容溝２１を構成する軸方向に沿った対向する２つの壁面２１ｂ、２１ｃのうち、側縁部側（外側）に位置する壁面２１ｂから軸方向に直交するように突出させたものである。そして、この突起２２によって収容溝２１の開口幅が側縁部側から内側へ向かって狭まり、その最狭幅寸法が針先部１１の軸の幅寸法よりも小さくなるようにしている。また、この突起２２は、本実施形態では略半球状をなしその外表面２２ａを針先部１１を収容溝２１内へ誘導するとともに脱抜時に開口２１ａ側へ誘導するテーパ面として機能させている。また、このピン受２は半割成形によるもので、それぞれの半割体２ａ、２ｂに凹部２３ａ、２３ｂ（図５参照）を形成して半割体２ａ、２ｂを合着した場合にこれら凹部２３ａ、２３ｂによって、前記基部１２の基端部分に設けられた取付部１２１よりその径が大きく取付部１２１を回転可能に保持する保持部２３を構成している。そして、このピン受２は、図２及び図４に示したように、前記収容溝２１に前記針先部１１が収容される収容位置（ｐ）と、この収容位置（ｐ）と背向する、すなわち前記収容位置（ｐ）と１８０度反対側に位置する退避位置（ｑ）との間で回転できるようになっている。なお、ピン受２を基部１２に対して回転可能に取り付けるのは、他の機構によるものでも構わない。
【００１６】
しかして、この安全ピンＡを、例えば装着対象物である洋服の生地等に装着する場合には、ピン受２を前記退避位置（ｑ）に位置付けた状態として、針先部１１を刺し込む。次に、手でピン１を動かないように固定しておいて、ピン受２を針先部１１側へ回転させると、図５に示したように針先部１１が収容溝２１内に収容される。すなわち、収容溝２１を針先部１１と対向させるように位置させた状態とし（ａ）、ピン受２を針先部１１に対して若干押すようにすれば、針先部１１が、突起２２のテーパ状の外表面２２ａに当接し突起２２及び壁面２１ｂより外方に位置する側縁部分２４を外方空間に押すようにして乗り越え（ｂ）、当該ピン受２は収容位置（ｐ）に位置付けられることとなる（ｃ）。この際、針先部１１を基部１２側へ若干寄せるようにした状態でピン受２を回転させて、針先部１１の収容溝２１内へ挿入動作がよりスムーズになるようにしてもよい。一方、安全ピンＡを外す場合には、ピン受２を回転させて針先部１１を、突起２２を乗り越えて収容溝から脱抜させるようにする。この際、針先部１１は、突起２２の外表面２２ａに誘導されて収容溝２１の開口２１ａ側へ移動する。
【００１７】
以上のように本実施形態における安全ピンＡは、ピン受２側を回転させて針先部１１を収容溝２１内へ収容するようにしているので、従来の安全ピンのようにピン部分を弾性変形させるような大きな力を要せず、しかも回転動作のみで装着することができる。すなわち、力の弱い女性、子供、老人などにも使用し易いものとすることができる。さらに、細い針先部１１の位置調整を行なわずともよいため、手元が見難いような場合であっても装着が簡単である。
【００１８】
また、収容溝２１をピン受２の側縁部近傍に形成したので、壁面２１ｂより側縁部分２４の厚み寸法が薄くなり、針先部１１を挿入させる場合に壁面２１ｂに形成した突起２２とともに弾性変形させて外方空間へ移動させ易く、挿入がスムーズに行なえる。ピン受の側縁部側から内側へ向かって狭めるように形成されている。
【００１９】
突起２２を、略半球状に形成したので、テーパ面として機能する外周面２２ａによ誘導されて針先部１１の収容溝内への挿入がスムーズに行なえ、さらに脱抜もスムーズに行なえる。
【００２０】
ピン受２を、収容位置（ｐ）と背向する退避位置（ｑ）まで回転可能なものとしたので、ピン受２が装着対象物に装着する際に針先部１１の刺し込みの邪魔にならない。
【００２１】
また、針先部１１と基部１２との境界部位（中間位置）に、規制部材たる球体３を取り付けたので、装着状態において装着対象物がずれない。また、この球体３にピン受２と同色或いは異なる色に着色するなどして、デザイン性を向上させることが可能となる。また、安全ピンＡを持ち上げる際などにも掴み易い。なお、この規制部材としては、球状以外の形状であってもよい。
【００２２】
本発明は、上記実施形態に限らない。
【００２３】
例えば、図６から図８に示したような安全ピンＢ、Ｃ、Ｄであってもよい。なお、図中、上記実施形態と同様の機能、構成のものには、同じ符号の先頭にそれぞれ「Ｂ」、「Ｃ」、［Ｄ」を付している。
【００２４】
まず、図６にその平面図を示したように、収容溝Ｂ２１を構成する両壁面Ｂ２１ｂ、Ｂ２１ｃから突出する掛止部たる突起Ｂ２２、Ｂ２２’を設けた安全ピンＢであってもよい。
【００２５】
そして、図７にその平面図を示したように、前記突起Ｂ２２’と同様の突起Ｃ２２’を突出させる壁面Ｃ２１ｃの近傍に切欠Ｃ２５を形成することによって、収容溝Ｃ２１を構成する壁面Ｃ２１ｃを形成する壁部Ｃ２６の厚み幅寸法を薄くなるようにした安全ピンＣであってもよい。このようなものであれば、針先部Ｃ１１を挿入するときこれら突起Ｃ２２、Ｃ２２’を乗り越える際に、側縁部分Ｃ２４及び壁部Ｃ２６がそれぞれ外方空間及び切欠Ｃ２５内へ逃げるように移動し、開口幅が広がってスムーズに挿入できる。
【００２６】
さらに、図８にその縦断面図を示したような安全ピンＤであってもよい。この安全ピンＤは、ピン受Ｄ２に、開口Ｄ２１ａを形成するとともにその側縁部分を湾曲した形状に成形して、開口端近傍に位置する壁部を掛止部Ｄ２２として機能させこの掛止部Ｄ２２に連続する奥方部分を針先部Ｄ１１を収容する収容部Ｄ２１として機能させるようにしたものである。そして、この掛止部Ｄ２２の開口端側に針先部Ｄ１１を収容部Ｄ２１内へ誘導するテーパ面Ｄ２２ａを形成してある。このようなものであれば、ピン受Ｄ２をピンＤ１の基部Ｄ１２の軸心周りに回転させて、針先部Ｄ１１を収容部Ｄ２１と対向するように位置付けるようにすれば、（ａ）針先部Ｄ１１が前記テーパ面Ｄ２２ａに沿って基部Ｄ１１側へ移動し（ｂ）、思案点（最も内側に位置するポイント）を超えるとそのまま収容部Ｄ２１内へスムーズに移動する（ｃ）。
【００２７】
なお、上記実施形態何れにおいても、ピン受の形状は、図示例のものに限らない。また、針先部と基部との境界部分を屈曲させてピンを形成したものであってもよい。
【００２８】
その他、各部の具体的構成についても上記実施形態に限られるものではなく、本発明の趣旨を逸脱しない範囲で種々変形が可能である。
【００２９】
【発明の効果】
本発明は、以上説明したような形態で実施され、以下に記載されるような効果を奏する。
【００３０】
すなわち、本発明の安全ピンは、従来のようにピン側を手で摘んで弾性変形させることでピン受に収容するのでなく、ピン受側を回転させるという動作だけで、針先を収容部に収容することができ、加えて従来のように針先部の細かい位置調整を行わずともよい。すなわち、ピン受を回転させるというワンアクションで、しかも大きな操作力を要せずに簡単に布地等の装着対象物に装着することができ、力の弱い女性、子供や老人等に使い易い安全ピンを提供することができる。
【図面の簡単な説明】
【図１】本発明における一実施形態を示す斜視図。
【図２】同平面図。
【図３】同側面図。
【図４】同背面図。
【図５】同Ｘ−Ｘ線断面図による動作説明図。
【図６】本発明における別の実施形態を示す平面図。
【図７】本発明における別の実施形態を示す平面図。
【図８】本発明における別の実施形態を示す断面図による動作説明図。
【符号の説明】
１・・・ピン
１１・・・針先部
１２・・・基部
２・・・ピン受
２１・・・収容部（収容溝）
２１ａ・・・開口
２２・・・掛止部（突起）
２２ａ・・・テーパ面（外表面）
３・・・規制部材（球体）
Ａ、Ｂ、Ｃ、Ｄ・・・安全ピン
Ｂ１１、Ｃ１１、Ｄ１１・・・針先部
Ｂ１２、Ｃ１２、Ｄ１２・・・基部
Ｂ２、Ｃ２、Ｄ２・・・ピン受
Ｂ２１、Ｃ２１・・・収容部（収容溝）
Ｄ２１・・・収容部
Ｂ２１ａ、Ｃ２１ａ、Ｄ２１ａ・・・開口
Ｂ２２、Ｂ２２’、Ｃ２２、Ｃ２２’・・・掛止部（突起）
Ｄ２２・・・掛止部
Ｂ２２ａ、Ｂ２２’ａ、Ｃ２２ａ、Ｃ２２’ａ・・・テーパ面（外表面）
Ｄ２２ａ・・・テーパ面
Ｂ３、Ｃ３・・・規制部材（球体）
ｐ・・・収容位置
ｑ・・・退避位置
【図１】
2004033528.tif 000003
【図２】
2004033528.tif 000004
【図３】
2004033528.tif 000005
【図４】
2004033528.tif 000006
【図５】
2004033528.tif 000007
【図６】
2004033528.tif 000008
【図７】
2004033528.tif 000009
【図８】
2004033528.tif 000010